(57)【特許請求の範囲】
【請求項１】
ＣＤＭＡシステムの基地局で移動局とのＣＤＭＡチャンネルを運用する方法において、
基地局間共通情報であるＣＤＭＡチャンネルＩＤリストデータベースＤＢと基地局別ＣＤＭＡチャンネルインデックスリストＤＢを設定する段階と、
それぞれの基地局は、自身の前記ＣＤＭＡチャンネルインデックスリストＤＢでＣＤＭＡチャンネルインデックスのＣＤＭＡチャンネルＩＤを探索し、その探索されたＣＤＭＡチャンネルＩＤに対するＣＤＭＡチャンネル番号を前記ＣＤＭＡチャンネルＩＤリストＤＢで探索し、個別的にＣＤＭＡチャンネルリストメッセージを可変的に生成する段階と、
を行ってＣＤＭＡチャンネルを運用する
ことを特徴とする基地局のＣＤＭＡチャンネル運用方法。
【請求項２】
前記ＣＤＭＡチャンネルＩＤリストＤＢは、基地局間共通情報であり、ＣＤＭＡチャンネルを識別させるＣＤＭＡチャンネルＩＤと、実際的な周波数帯域の表示の代わりをするＣＤＭＡチャンネル番号とを含む
ことを特徴とする請求項１記載の基地局のＣＤＭＡチャンネル運用方法。
【請求項３】
前記ＣＤＭＡチャンネルインデックスリストＤＢは、基地局別に持つ情報であり、基地局のそれぞれが持っているＣＤＭＡチャンネル識別子であるＣＤＭＡチャネルインデックスと、ＣＤＭＡチャンネルを識別させるＣＤＭＡチャンネルＩＤと、使用用途を示すＣＤＭＡチャンネル種類とを含む
ことを特徴とする請求項１記載の基地局のＣＤＭＡチャンネル運用方法。
【請求項４】
前記ＣＤＭＡチャンネル種類は、一般ユーザのための周波数として利用されるＣｏｍｍｏｎ＿ｓｅｒｖｉｃｅと、システム検証のためのテスト用周波数として利用されるＴｅｓｔ＿ｓｅｒｖｉｃｅとに大別される
ことを特徴とする請求項３記載の基地局のＣＤＭＡチャンネル運用方法。
【請求項５】
ＣＤＭＡシステムの基地局で移動局とのＣＤＭＡチャンネルを運用する方法において、
該当基地局の各ＦＡ別に自身のＣＤＭＡチャンネルインデックスを設定し、比較ＣＤＭＡチャンネルインデックスを初期化する初期化段階と、
各ＦＡ別に、該当基地局のＣＤＭＡチャンネルインデックスリストデータベースＤＢを参照し、自身のＣＤＭＡチャンネル種類と同一のＣＤＭＡチャンネル種類を有する比較ＣＤＭＡチャンネルインデックスを探索し、その探索した比較ＣＤＭＡチャンネルインデックスのＣＤＭＡチャンネル番号を割り当て、ＣＤＭＡチャンネルリストメッセージをＦＡ別に別に生成するＣＤＭＡチャンネル生成段階と
を行ってＣＤＭＡチャンネルを生成及び運用する
ことを特徴とする基地局のＣＤＭＡチャンネル運用方法。
【請求項６】
前記ＣＤＭＡチャンネル生成段階は、
前記比較ＣＤＭＡチャンネルインデックスと前記基地局のＣＤＭＡチャンネルインデックスの最大値とを比較し、前記比較ＣＤＭＡチャンネルインデックスが大きければ、構成されたＣＤＭＡチャンネルリストメッセージを転送し、前記比較ＣＤＭＡチャンネルインデックスが大きくなければ、ＣＤＭＡチャンネルインデックスリストＤＢを参照し、前記比較ＣＤＭＡチャンネルインデックスに対するＣＤＭＡチャンネル種類と該当ＦＡのＣＤＭＡチャンネルインデックスに対するＣＤＭＡチャンネル種類とを比較する第１段階と、
前記チャンネル種類を比較した結果、互いに異なると、前記比較ＣＤＭＡチャンネルインデックス値を１増加させた後、前記第１段階にリターンする第２段階と、
前記チャンネル種類の比較結果、互いに同一であれば、前記比較ＣＤＭＡチャンネルインデックスのＣＤＭＡチャンネルＩＤでＣＤＭＡチャンネルＩＤリストＤＢを検索し、前記ＣＤＭＡチャンネルＩＤに対するＣＤＭＡチャンネル番号を前記該当ＦＡのＣＤＭＡチャンネルリストメッセージのＣＤＭＡ周波数番号に割り当て、前記比較ＣＤＭＡチャンネルインデックス値を１増加させた後、前記１段階にリターンする第３段階と
を行う
ことを特徴とする請求項５記載の基地局のＣＤＭＡチャンネル運用方法。
【請求項７】
前記ＣＤＭＡチャンネルインデックスリストＤＢは、基地局別に持つ情報であり、基地局のそれぞれが持っているＣＤＭＡチャンネル識別子であるＣＤＭＡチャンネルインデックスと、ＣＤＭＡチャンネルを識別させるＣＤＭＡチャンネルＩＤと、使用用途を示すＣＤＭＡチャンネル種類とを含む
ことを特徴とする請求項５記載の基地局のＣＤＭＡチャンネル運用方法。
【請求項８】
前記ＣＤＭＡチャンネル種類は、一般ユーザのための周波数として利用されるＣｏｍｍｏｎ＿ｓｅｒｖｉｃｅと、システム検証のためのテスト用周波数として利用されるＴｅｓｔ＿ｓｅｒｖｉｃｅとに大別される
ことを特徴とする請求項７記載の基地局のＣＤＭＡチャンネル運用方法。
【発明の詳細な説明】
【０００１】
【発明の属する技術分野】
本発明は、ＣＤＭＡ（Ｃｏｄｅ  Ｄｉｖｉｓｉｏｎ  Ｍｕｌｔｉｐｌｅ  Ａｃｃｅｓｓ；コード分割多元接続）技術を利用する移動通信システム（例えば、ＤＣＳ（Ｄｉｇｉｔａｌ  Ｃｏｍｍｕｎｉｃａｔｉｏｎｓ  Ｓｙｓｔｅｍ）、ＰＣＳ（Ｐｅｒｓｏｎａｌ  Ｃｏｍｍｕｎｉｃａｔｉｏｎ  Ｓｅｒｖｉｃｅ）、ＷＬＬ（Ｗｉｒｅｌｅｓｓ  Ｌｏｃａｌ  Ｌｏｏｐ）システム）の基地局におけるＣＤＭＡチャンネル運用に係り、特にＣＤＭＡチャンネルインデックス（ｉｎｄｅｘ）、ＣＤＭＡチャンネル識別子（ｉｄｅｎｔｉｆｉｃａｔｉｏｎ；ＩＤ）、ＣＤＭＡチャンネル種類（ｋｉｎｄ）を利用し、基地局別／ＦＡ（Ｆｒｅｑｕｅｎｃｙ  Ａｌｌｏｃａｔｉｏｎ；周波数割当）別にＣＤＭＡチャンネルを可変的に運用できるようにすることにより、移動通信サービスの中断無しにＣＤＭＡシステムの周波数使用を最適化した基地局のＣＤＭＡチャンネル運用方法に関する。
【０００２】
【従来の技術】
前記ＣＤＭＡチャンネルインデックスは基地局のそれぞれが持っているＣＤＭＡチャンネル識別子であり、基地局のそれぞれのＣＤＭＡチャンネルインデックスはＣＤＭＡチャンネルＩＤとＣＤＭＡチャンネル種類の値とを有する。そして、ＣＤＭＡチャンネルＩＤは各ＣＤＭＡチャンネルを識別させる識別子であり、それぞれのＣＤＭＡチャンネルＩＤ別に周波数番号を有する。ＣＤＭＡチャンネル種類は該当周波数の運用用途を規定するもので、Ｃｏｍｍｏｎ＿Ｓｅｒｖｉｃｅ、Ｔｅｓｔ＿ｓｅｒｖｉｃｅの二つ種類の値を有する。Ｃｏｍｍｏｎ＿Ｓｅｒｖｉｃｅは一般ユーザのための周波数として利用でき、Ｔｅｓｔ＿ｓｅｒｖｉｃｅはシステム検証のためのテスト用周波数として利用できる。
【０００３】
そして、ＣＤＭＡチャンネルリストメッセージは、ＣＤＭＡ技術を利用したＤＣＳ、ＰＣＳ、ＷＬＬシステムの基地局から端末に転送されるメッセージであり、基地局システムの利用可能な周波数番号を端末に知らせるメッセージである。
【０００４】
ＣＤＭＡチャンネルリストメッセージを受け取った端末は、該当メッセージ内に構成された周波数リストを情報としてハッシュ関数（ｈａｓｈ  ｆｕｎｃｔｉｏｎ）を介して任意の周波数を決定し、該当周波数に変換して待機する。
【０００５】
【発明が解決しようとする課題】
このように移動通信端末が使用可能な周波数の情報を持っているＣＤＭＡチャンネルリストメッセージを生成する従来の方法は、基地局間に同一内容のＣＤＭＡチャンネルリストメッセージが構成されて端末に転送された。また、多元ＦＡ運用方式の基地局内におけるＦＡ間にも同一の内容のＣＤＭＡチャンネルリストメッセージが構成された。
【０００６】
即ち、従来のＣＤＭＡチャンネル運用方法は、基地局間や基地局内ＦＡ間の全てが同一に行われた。このため、一つの基地局のＣＤＭＡチャンネルに対してテストしようとするとき、その基地局は移動通信サービスを中断し、テストを行うという短所があった。
【０００７】
また、基地局内で一つのＦＡに対してテストするとき、そのＦＡでは加入者に移動通信サービスを提供することができないので、そのＦＡサービス地域の移動通信加入者はサービスの提供を受けることができないとういう問題が発生した。
【０００８】
また、周知のように従来のＣＤＭＡチャンネル運用は、基地局間にも同一に行われ、基地局内のＦＡ間にも同一に行われるので、ＣＤＭＡシステムにおけるＣＤＭＡチャンネル運用に融通が利かないという短所があった。
【０００９】
従って、本発明はかかる従来のＣＤＭＡチャンネル運用方法の諸般の問題点を解消するためのもので、その目的は、ＣＤＭＡチャンネルインデックス、ＣＤＭＡチャンネル識別子（ＩＤ）、ＣＤＭＡチャンネル種類（ｋｉｎｄ）を利用し、基地局別／ＦＡ別に別のＣＤＭＡチャンネルリストメッセージを生成してＣＤＭＡチャンネルを運用することにより、基地局間に別のＣＤＭＡチャンネルを運用し、ＦＡ別に別のＣＤＭＡチャンネルを運用できるようし、基地局と端末局間のＣＤＭＡ周波数運用を最適化した基地局のＣＤＭＡチャンネル運用方法を提供することにある。
【００１０】
【課題を解決するための手段】
上記課題を達成するために、本発明に係る基地局のＣＤＭＡチャンネル運用方法は、ＣＤＭＡシステムの基地局で移動局とのＣＤＭＡチャンネルを運用する方法において、基地局間共通情報であるＣＤＭＡチャンネルＩＤリストデータベースＤＢと基地局別ＣＤＭＡチャンネルインデックスリストＤＢを設定する段階と、それぞれの基地局は、自身の前記ＣＤＭＡチャンネルインデックスリストＤＢでＣＤＭＡチャンネルインデックスのＣＤＭＡチャンネルＩＤを探索し、その探索されたＣＤＭＡチャンネルＩＤに対するＣＤＭＡチャンネル番号を前記ＣＤＭＡチャンネルＩＤリストＤＢで探索し、個別的にＣＤＭＡチャンネルリストメッセージを可変的に生成する段階とを行ってＣＤＭＡチャンネルを運用することを特徴とする。
【００１１】
【発明の実施の形態】
以下、上述した技術的思想による本発明に係る基地局のＣＤＭＡチャンネル運用方法の好適な実施の形態を添付図に基づいて詳細に説明する。
【００１２】
図１は本発明が適用されるＣＤＭＡ移動通信システムのブロック構成を示す。
【００１３】
基地局管理システム（Ｂａｓｅ  Ｓｔａｔｉｏｎ  Ｍａｎａｇｅｒ；ＢＳＭ）４０は運用者の命令により、前記制御局３０及び基地局２０を制御する機能を行う。制御局（Ｂａｓｅ  Ｓｔａｔｉｏｎ  Ｃｏｎｔｒｏｌｌｅｒ；ＢＳＣ）３０は基地局（ＢＴＳ）２０からの呼処理要求を処理し、前記基地局２０を制御する。基地局（Ｂａｓｅ  Ｔｒａｎｓｃｅｉｖｅｒ  Ｓｔａｔｉｏｎ；ＢＴＳ）２０は移動局が使用可能なＣＤＭＡチャンネル情報をＣＤＭＡチャンネルリストメッセージに入れ、無線インタフェースを介して移動局１０に転送し、前記移動局１０からの信号を前記制御局３０に転送する機能を行う。移動局（Ｍｏｂｉｌｅ  Ｓｔａｔｉｏｎ；ＭＳ）１０は前記基地局２０からのＣＤＭＡチャンネルリストメッセージを受信し、前記基地局２０との無線インタフェースを行うＣＤＭＡチャンネルを選択した後、移動通信サービスを前記基地局２０に要求する機能を行う。
【００１４】
前記基地局２０は、前記ＭＳ１０との無線インタフェースのための高周波（Ｒａｄｉｏ  Ｆｒｅｑｕｅｎｃｙ；ＲＦ）を処理する高周波処理ユニット（Ｒａｄｉｏ  Ｆｒｅｑｕｅｎｃｙ  Ｕｎｉｔ；ＲＦＵ）２１と、前記ＲＦＵ２１からの各チャンネル別番号をチャンネル復調及び誤り訂正して制御局３０に転送し、前記制御局３０からの符号化パケットデータを各ＣＤＭＡチャンネルに適合したディジタルプロセシングした後、前記ＲＦＵ２１に転送するデジタルユニット（Ｄｉｇｉｔａｌ  Ｕｎｉｔ；ＤＵ）２２と、基地局動作の全般的な制御機能を行い、ＣＤＭＡチャンネルをＦＡ別に別にして運用する基地局制御プロセッサ（Ｂａｓｅ  Ｓｔａｔｉｏｎ  Ｃｏｎｔｒｏｌ  Ｐｒｏｃｅｓｓｏｒ；ＢＣＰ）２３と、前記ＤＵ２２とＢＣＰ２３を前記制御局３０に連結させる機能を行う基地局相互接続網（ＢＴＳ  Ｉｎｔｅｒｃｏｎｎｅｃｔｉｏｎ  Ｎｅｔｗｏｒｋ；ＢＩＮ）２４とから構成される。
【００１５】
本発明において、基地局２０はＣＤＭＡチャンネルインデックス、ＣＤＭＡチャンネルＩＤ、ＣＤＭＡチャンネル種類を利用してＣＤＭＡチャンネルリストメッセージを生成させる。そして、ＣＤＭＡチャンネルインデックス、ＣＤＭＡチャンネルＩＤ、ＣＤＭＡチャンネル種類の値を維持するために、基地局２０はＣＤＭＡチャンネルインデックスリストデータベース（Ｄａｔａｂａｓｅ；ＤＢ）とＣＤＭＡチャンネルＩＤリストデータベースを有する。
【００１６】
即ち、各基地局は基地局別に自身のＣＤＭＡチャンネルインデックスリストＤＢの情報を持つ。各ＣＤＭＡチャンネルインデックスリストＤＢは、図２に示すように、ＣＤＭＡチャンネルインデックス、ＣＤＭＡチャンネルＩＤ、ＣＤＭＡチャンネル種類を含む。
【００１７】
また、基地局は相互間の共通情報であるＣＤＭＡチャンネルＩＤリストＤＢの情報を持つ。図３は本発明に係るＣＤＭＡチャンネルＩＤリストＤＢの構成を示す。ＣＤＭＡチャンネルＩＤリストＤＢは、ＣＤＭＡチャンネルＩＤと、実際的な周波数帯域の表示の代わりをするＣＤＭＡチャンネル番号とを含む。
【００１８】
図４は本発明に適用されるＣＤＭＡチャンネルリストメッセージの構造を示す。
【００１９】
ＣＤＭＡチャンネルリストメッセージは、メッセージタイプ、ＣＤＭＡ周波数番号（ＣＤＭＡ  Ｆｒｅｑ．）を含む。ここで、ＣＤＭＡチャンネルを基地局別／ＦＡ別に別に運用するためには、ＣＤＭＡ周波数帯域を示すＣＤＭＡ周波数番号を別に割り当てる。
【００２０】
まず、基地局別にＣＤＭＡチャンネルリストメッセージを別に生成し、基地局間ＣＤＭＡチャンネルを可変的に運用する方法について説明する。
【００２１】
ＣＤＭＡチャンネルインデックスとＣＤＭＡチャンネルＩＤの概念下で別途に管理することにより、基地局は、端末に転送するＣＤＭＡチャンネルリストメッセージの周波数番号を基地局別に別に構成して転送することができるようになる。
【００２２】
本発明に係る基地局間ＣＤＭＡチャンネルの可変的運用方法は、基地局間共通情報であるＣＤＭＡチャンネルＩＤリストＤＢと基地局別ＣＤＭＡチャンネルインデックスリストＤＢとを設定する段階と、各基地局は、自身のＣＤＭＡ周波数インデックスリストＤＢでＣＤＭＡチャンネルインデックスのＣＤＭＡチャンネルＩＤを探索し、その探索されたＣＤＭＡチャンネルＩＤに対するＣＤＭＡチャンネル番号を前記ＣＤＭＡチャンネルＩＤリストＤＢで探索し、基地局ごとに別のＣＤＭＡチャンネルリストメッセージを生成する段階とを行う。
【００２３】
以下、基地局間ＣＤＭＡチャンネルの可変的運用方法について詳細に説明する。
【００２４】
図６（ａ）は各基地局の共通情報であるＣＤＭＡチャンネルＩＤリストＤＢの構造を示す。ＣＤＭＡチャンネル番号は、ＣＤＭＡチャンネルＩＤの０に対して１００を、１に対して２００を、３に対して４００を、４に対して５００を、６に対して７００を、７に対して８００をそれぞれ有する。
【００２５】
図６（ｂ）は基地局Ａに対するＣＤＭＡチャンネルインデックスリストＤＢの構造を示す。基地局Ａに対するＣＤＭＡチャンネルインデックスはＣＤＭＡチャンネルＩＤをそれぞれ持っている。そして、図６（ｃ）は基地局Ｂに対するＣＤＭＡチャンネルインデックスリストＤＢの構造を示す。基地局Ｂに対するＣＤＭＡチャンネルインデックスはＣＤＭＡチャンネルＩＤをそれぞれ持っている。ここで、基地局ＡのＣＤＭＡチャンネルＩＤと基地局ＢのＣＤＭＡチャンネルＩＤを別に設定することにより、基地局Ａと基地局Ｂ間にＣＤＭＡチャンネルを別に運用することができるようになる。各基地局のＣＤＭＡチャンネルインデックスリストＤＢのＣＤＭＡチャンネルＩＤ値はＤＢの初期値であるＰＬＤ（Ｐｒｏｇｒａｍ  Ｌｏａｄｅｄ  Ｄａｔａ）である。これは、基地局管理システム（ＢＳＭ）を介して運用者によって設定される。言い換えれば、基地局ＡのＣＤＭＡチャンネルインデックスリストＤＢのＣＤＭＡチャンネルＩＤ値を変更しようとする場合、ＢＳＭから基地局のＢＣＰに変更命令を転送することにより実現される。
【００２６】
これにより、図６（ａ）、（ｂ）、（ｃ）のようにＤＢが構成された場合（説明のために必要な情報のみを図示した）、基地局Ａの各ＦＡ別転送ＣＤＭＡチャンネルリストメッセージの情報は図７（ｂ）に示すように生成される。
【００２７】
即ち、基地局Ａの場合、４個のＦＡ（０ＦＡ、１ＦＡ、２ＦＡ、３ＦＡ）が独立的にＣＤＭＡチャンネルインデックスリストＤＢを参照してＣＤＭＡチャンネルＩＤを探索する。その結果、基地局ＡのＣＤＭＡチャンネルＩＤは０，１，２，３であるので、図６（ａ）のＣＤＭＡチャンネルＩＤリストＤＢでＣＤＭＡチャンネル番号１００，２００，３００，４００を探索し、ＣＤＭＡチャンネルリストメッセージのＣＤＭＡ周波数番号（ＣＤＭＡ  Ｆｒｅｑ．）に割り当てる。
【００２８】
基地局Ｂの場合、基地局Ａの場合と同一の方法で図６（ａ）のＣＤＭＡチャンネルＩＤリストＤＢでＣＤＭＡチャンネル番号を探索すると４００，５００，６００，７００になり、この値は図７（ａ）に示すように、基地局ＢのＣＤＭＡ周波数番号に割り当てる。
【００２９】
よって、基地局Ａと基地局ＢはＣＤＭＡ周端数番号が異なるＣＤＭＡチャンネルリストメッセージを生成し、基地局Ａと基地局Ｂは別のＣＤＭＡチャンネルを運用できる。従って、移動通信加入者は、近接基地局の使用周波数が異なるので、干渉が減り、通話品質の向上を感じることができる。
【００３０】
次に、本発明に係る、基地局内ＦＡ別にＣＤＭＡチャンネルリストメッセージを別に生成し、ＦＡ別にＣＤＭＡチャンネルを可変的に運用する方法について説明する。
【００３１】
図５は本発明に係る基地局内ＦＡ別にＣＤＭＡチャンネルを可変的に運用する方法を示す流れ図である。
【００３２】
同図に示すように、該当基地局の各ＦＡ別に自身のＣＤＭＡチャンネルインデックスを設定し、比較ＣＤＭＡチャンネルインデックスを０に初期化する初期化段階（ＳＴ１１，ＳＴ１２）と、各ＦＡ別に、自身のＣＤＭＡチャンネルインデックスに対するＣＤＭＡチャンネル種類と同一のＣＤＭＡチャンネル種類を有する比較ＣＤＭＡチャンネルインデックスを探索し、その比較ＣＤＭＡチャンネルインデックスのＣＤＭＡチャンネル番号を割り当て、ＣＤＭＡチャンネルリストメッセージをＦＡ別に別に生成するＣＤＭＡチャンネル可変運用段階（ＳＴ１３〜ＳＴ２０）と、を行う。
【００３３】
前記ＣＤＭＡチャンネル可変運用段階（ＳＴ１３〜ＳＴ２０）は、前記比較ＣＤＭＡチャンネルインデックスと前記基地局のＣＤＭＡチャンネルインデックスの最大値とを比較し、比較ＣＤＭＡチャンネルインデックスが大きければ、構成されたＣＤＭＡチャンネルリストメッセージを転送し、前記比較ＣＤＭＡチャンネルインデックスが大きくなければ、ＣＤＭＡチャンネルインデックスリストＤＢを参照し、前記比較ＣＤＭＡチャンネルインデックスに対するＣＤＭＡチャンネル種類と該当ＦＡのＣＤＭＡチャンネルインデックスに対するＣＤＭＡチャンネル種類とを比較する第１段階（ＳＴ１３，ＳＴ１４）と、前記比較の結果、相互同一でなければ、前記比較ＣＤＭＡチャンネルインデックス値を１増加した後、前記第１段階Ｓ１１３に進む第２段階（ＳＴ１５，ＳＴ１９）と、前記比較結果、相互同一であれば、前記比較ＣＤＭＡチャンネルインデックスのＣＤＭＡチャンネルＩＤでＣＤＭＡチャンネルＩＤリストＤＢを検索し、前記ＣＤＭＡチャンネルＩＤに対するＣＤＭＡチャンネル番号を前記該当ＦＡのＣＤＭＡチャンネルリストメッセージのＣＤＭＡ周波数番号に割り当て、前記比較ＣＤＭＡチャンネルインデックス値を１増加させた後、前記１段階（ＳＴ１３）に進む第３段階（ＳＴ１５〜ＳＴ１８）を行う。
【００３４】
以下、本発明に係る基地局内ＦＡ別にＣＤＭＡチャンネルを可変的に運用する方法を詳細に説明する。
【００３５】
各基地局毎に持っている各ＣＤＭＡチャンネルインデックスに対し、ＣＤＭＡチャンネル種類の情報を追加する。これにより、基地局から端末へのＣＤＭＡチャンネルリストメッセージの転送時、周波数割当（ＦＡ）別にＣＤＭＡチャンネル番号をグループ化してＣＤＭＡチャンネルリストメッセージを生成することにより、基地局内でＦＡ別にＣＤＭＡチャンネルを可変的に運用することができる。
【００３６】
基地局のＦＡ別ＣＤＭＡチャンネル番号のグループ化は、該当ＦＡのＣＤＭＡチャンネルインデックスのＣＤＭＡチャンネル種類と同じＣＤＭＡチャンネルインデックスの周波数番号を、ＣＤＭＡチャンネルリストメッセージのＣＤＭＡ  ｆｒｅｑｕｅｎｃｙ項目に割り当てることにより可能になる。
【００３７】
ＣＤＭＡチャンネル種類はｃｏｍｍｏｎ＿ｓｅｒｖｉｃｅとｔｅｓｔ＿ｓｅｒｖｉｃｅとに大別される。ｃｏｍｍｏｎ＿ｓｅｒｖｉｃｅのグループは一般ユーザのための周波数として利用でき、ｔｅｓｔ＿ｓｅｒｖｉｃｅのグループはシステム検証のためのテスト用周波数として利用できる。
【００３８】
基地局内でＦＡ別にＣＤＭＡチャンネルを可変的に運用する方法を図８（ａ）、（ｂ）、（ｃ）に基づいて詳細に説明する。
【００３９】
図８（ａ）に示すように、基地局間共通情報であるＣＤＭＡチャンネルＩＤリストＤＢを設定し、図８（ｂ）に示すように、ＣＤＭＡチャンネル種類を追加した基地局ＡのＣＤＭＡチャンネルインデックスリストＤＢを設定する。
【００４０】
その後、基地局Ａの各ＦＡ別に自身のＣＤＭＡチャンネルインデックスを設定する（ＳＴ１１）。即ち、０ＦＡはＣＤＭＡチャンネルインデックス０を、１ＦＡはＣＤＭＡチャンネルインデックス１を、２ＦＡはＣＤＭＡチャンネルインデックス２を、３ＦＡはＣＤＭＡチャンネルインデックス３をそれぞれ持つ。そして、比較ＣＤＭＡチャンネルインデックスを０に初期化する（ＳＴ１２）。
【００４１】
比較ＣＤＭＡチャンネルインデックスと基地局ＡのＣＤＭＡチャンネルインデックスの最大値とを比較し、前記比較ＣＤＭＡチャネルインデックスが大きくなければ、図８（ｂ）のＣＤＭＡチャンネルインデックスリストＤＢを参照し、前記比較ＣＤＭＡチャンネルインデックスに対するＣＤＭＡチャンネル種類と該当ＦＡ自身のＣＤＭＡチャンネルインデックスに対するＣＤＭＡチャンネル種類とを比較する（ＳＴ１３，ＳＴ１４）。
【００４２】
即ち、０ＦＡの場合、自身のＣＤＭＡチャンネルインデックスに対するＣＤＭＡチャンネル種類がｃｏｍｍｏｎ＿ｓｅｒｖｉｃｅであるので、これと同一のＣＤＭＡチャンネル種類を有するＣＤＭＡチャンネルインデックスを探索する。比較ＣＤＭＡチャンネルインデックス０に対するＣＤＭＡチャンネル種類が同一であるので（ＳＴ１５）、その比較ＣＤＭＡチャンネルインデックスのＣＤＭＡチャンネルＩＤを取ってＣＤＭＡチャンネルＩＤリストＤＢを検索する（ＳＴ１６）。
【００４３】
検索結果、前記ＣＤＭＡチャンネルＩＤに対するＣＤＭＡチャンネル番号が１００であり、この値を０ＦＡのＣＤＭＡ  Ｆｒｅｑ．に割り当てる（ＳＴ１７）。その後、前記比較ＣＤＭＡチャンネルインデック値を１増加させた後、ＳＴ１３に進む（ＳＴ１８）。
【００４４】
これにより、再び比較ＣＤＭＡチャンネルインデックス１と基地局ＡのＣＤＭＡチャンネルインデックスの最大値とを比較する（ＳＴ１３）。その結果、前記比較ＣＤＭＡチャネルインデックスが大きくなければＳＴ１４を行う。その結果、比較ＣＤＭＡチャンネルインデックス１に対するＣＤＭＡチャンネル種類がｔｅｓｔ＿ｓｅｒｖｉｃｅであり、互いに異なるので（ＳＴ１５）、比較ＣＤＭＡチャンネルインデックスの値を１増加させた後、ＳＴ１３に進む（ＳＴ１９）。
【００４５】
再び比較した結果、比較ＣＤＭＡチャンネルインデックス２が基地局ＡのＣＤＭＡチャンネルインデックスの最大値より大きくないので（ＳＴ１３）、ＳＴ１４を行う。その結果、比較ＣＤＭＡチャンネルインデックス２に対するＣＤＭＡチャンネル種類がｃｏｍｍｏｎ＿ｓｅｒｖｉｃｅであり、互いに同一なので（ＳＴ１５）、比較ＣＤＭＡチャンネルインデックス２のＣＤＭＡチャンネルＩＤ２をｋｅｙとして図８ａのＤＢで検索を行う。これにより、ＣＤＭＡチャンネルＩＤ２に対するＣＤＭＡチャンネル番号３００を検索して０ＦＡのＣＤＭＡ  Ｆｒｅｑ．に割り当てる（ＳＴ１６，ＳＴ１７）。
【００４６】
その後、比較ＣＤＭＡチャンネルインデックス値を１増加させた後、ＳＴ１３に進む（ＳＴ１８）。
【００４７】
よって、比較ＣＤＭＡチャンネルインデックス値が基地局ＡのＣＤＭＡチャンネルインデックスの最大値より大きければ、割り当てられたＣＤＭＡ  Ｆｒｅｑの値をＣＤＭＡチャンネルリストメッセージの該当領域に記録し、ＣＤＭＡチャンネルリストメッセージを移動局に転送する（ＳＴ２０）。
【００４８】
このように０ＦＡに対してＣＤＭＡチャンネルリストメッセージのＣＤＭＡ周波数番号グループが構成される間に、１ＦＡ、２ＦＡ、３ＦＡに対しても同時にＣＤＭＡ周波数番号グループが図８ｃに示すように生成される。
【００４９】
その後、ＦＡ別に別に生成されたＣＤＡＭチャンネルリストメッセージが各移動局に転送されると、０ＦＡと２ＦＡの運用地域にある移動局は移動通信サービスのため１００，３００の周波数資源を使用できるようになり、システム運用者は１ＦＡ，３ＦＡの運用地域で２００，４００の周波数資源を使用してシステムテストを並行することができるようになる。従って、基地局Ａ内でＦＡ別にＣＤＭＡチャンネルを可変的に運用し、移動通信サービスとシステム性能テストを並行することができるようになる。
【００５０】
【発明の効果】
以上説明したように、本発明に係る基地局のＣＤＭＡチャンネル運用方法によれば、ＣＤＭＡチャンネルインデックス（ｉｎｄｅｘ）、ＣＤＭＡチャンネル識別子（ＩＤ）、ＣＤＭＡチャンネル種類（ｋｉｎｄ）を利用し、基地局別／ＦＡ別にＣＤＭＡチャンネルリストメッセージを別に生成してＣＤＭＡチャンネルを運用することができるという利点がある。
【００５１】
尚、基地局間に別のＣＤＭＡチャンネルを運用することができ、ＦＡ別に別のＣＤＭＡチャンネルを運用することができるので、基地局と端末間のＣＤＭＡ周波数運用を最適化することができるという効果がある。
【００５２】
また、基地局別／周波数別に基地局と端末間のＣＤＭＡチャンネルリストメッセージを別に運用することにより、ＣＤＭＡ技術を利用するＤＣＳ、ＰＣＳ、ＷＬＬシステムの周波数を多様な用途に使用することができ、基地局と端末間のエアセル（ａｉｒ  ｃｅｌｌ）環境を最適化することができるという効果がある。
【００５３】
さらに、基地局別／ＦＡ別にＣＤＭＡチャンネルを別に運用することにより、相互干渉を最小化し、加入者の通話品質向上にも役に立つという効果がある。
【図面の簡単な説明】
【図１】本発明が適用されるＣＤＭＡ移動通信システムのブロック構成図である。
【図２】本発明に係るＣＤＭＡチャンネルインデックスリストＤＢの構成図である。
【図３】本発明に係るＣＤＭＡチャンネルＩＤリストＤＢの構成図である。
【図４】本発明に適用されるＣＤＭＡチャンネルリストメッセージの構造図である。
【図５】本発明に係る基地局内ＦＡ別にＣＤＭＡチャンネルを可変的に運用する方法を示す流れ図である。
【図６】（ａ）は各基地局の共通情報であるＣＤＭＡチャンネルＩＤリストＤＢの構造図であり、（ｂ）は基地局Ａに対するＣＤＭＡチャンネルインデックスリストＤＢの構造図であり、（ｃ）は基地局Ｂに対するＣＤＭＡチャンネルインデックスリストＤＢの構造図である。
【図７】（ａ）と（ｂ）は基地局間ＣＤＭＡチャンネル運用が可変的に行われるようにするＣＤＭＡ周波数番号割当方法を示す図である。
【図８】（ａ）は基地局間の共通情報であるＣＤＭＡチャンネルＩＤリストＤＢの構造図であり、（ｂ）はＣＤＭＡチャンネル種類を含んだ基地局ＡのＣＤＭＡチャンネルインデックスリストＤＢの構造図であり、（ｃ）は基地局Ａ内でＦＡ別にＣＤＭＡ周波数番号が別に可変的に割り当てられる方法を示す図である。
【符号の説明】
１０  移動局、２０  基地局（ＢＴＳ）、２１  高周波処理ユニット（ＲＦＵ）、２２  デジタルユニット（ＤＵ）、２３  基地局制御プロセッサ（ＢＣＰ）、２４  基地局相互接続網（ＢＩＮ）、３０  制御局（ＢＳＣ）。
【図１】
0003577465.tif 000002
【図２】
0003577465.tif 000003
【図３】
0003577465.tif 000004
【図４】
0003577465.tif 000005
【図５】
0003577465.tif 000006
【図６】
0003577465.tif 000007
【図７】
0003577465.tif 000008
【図８】
0003577465.tif 000009